(57)【要約】【課題】海水魚を飼育している海水の浄化を短時間内で確実に行うことができて、汚れの大きな原因である糞や残り餌が海水中に溶け込まない内に除去できる浄化装置を、簡単な構成によって提供すること。【解決手段】装置本体枠１１と、この装置本体枠１１内にて略水平状態で回転駆動される無端網体１２と、この無端網体１２の上下両部分の間に配置されて、受け止めた海水を無端網体１２の両側に流し出す傾斜板１３と、この傾斜板１３の下方に配置されて、これから流下してきた海水を一旦溜めておく補助水槽とを備えたこと。【選択図】図２
2005295859.tif 000002
【特許請求の範囲】
【請求項１】
海水魚水槽中のゴミを含んだ海水を汲み出して、前記ゴミを除去したきれいな海水だけを再び前記海水魚水槽内へ送り込むようにした浄化装置であって、
装置本体枠と、この装置本体枠内にて略水平状態で回転駆動される無端網体と、この無端網体の上下両部分の間に配置されて、受け止めた海水を前記無端網体の両側に流し出す傾斜板と、この傾斜板の下方に配置されて、これから流下してきた海水を一旦溜めておく補助水槽とを備えたことを特徴とする海水魚水槽のための浄化装置。
【請求項２】
前記傾斜板の前方または後方であって、前記無端網体の上下両部分の間に、この無端網体の幅方向に位置する流体噴射ノズルを配置して、この流体噴射ノズルから吹き出される流体により、前記無端網体の下側部分に付着したゴミを除去するようにしたことを特徴とする請求項１に記載の海水魚水槽のための浄化装置。
【請求項３】
前記傾斜板の前方または後方であって、前記無端網体の上下両部分の間に、この無端網体の下側部分を上下に振動させる振動装置を配置して、この振動装置によって前記下側部分に与えられる振動により、前記下側部分に付着したゴミを振り落とすようにしたことを特徴とする請求項１に記載の海水魚水槽のための浄化装置。
【請求項４】
前記装置本体枠の、前記流体噴射ノズルまたは振動装置より下方に、前記無端網体の下側部分から落とされたゴミを受け止めるゴミ受板を設けるとともに、このゴミ受板の排出口を前記補助水槽以外に開口させたことを特徴とする請求項２または請求項３に記載の海水魚水槽のための浄化装置。
【発明の詳細な説明】
【技術分野】
【０００１】
本発明は、水槽の浄化装置に関し、特に、海水魚を飼育して釣り堀としている水槽のための浄化装置に関するものである。
【背景技術】
【０００２】
海水魚であれ、淡水魚であれ、これらを飼育する水槽においては、魚の糞や鱗、魚に与えられた餌の余ったものが貯まると、水または海水を汚すだけでなく腐らせてしまうため、何等かの方法で浄化をしなければならない。
【０００３】
このような水槽内の水または海水を浄化する装置あるいは方法としては、従来より種々なものが提案されてきており、例えば、特許文献１〜特許文献５に種々見受けられる。
【特許文献１】特開平５−１１５８７０号公報、要約、代表図
【特許文献２】特開平５−２１９８６１号公報、要約、代表図
【特許文献３】特開平７−４６９５０号公報、要約、代表図
【特許文献４】特開２０００−１１９２７９号公報、要約、代表図
【特許文献５】特開２０００−１１６２７６号公報、要約、代表図
【発明の開示】
【発明が解決しようとする課題】
【０００４】
特許文献１に記載されている「鑑賞魚飼育用水処理装置」は、図７に示すように、「鑑賞魚飼育用水槽５にイオン交換処理部１０と流動電解処理部１２とを飼育水流通路６で直列閉回路状に連結し、当該水槽５を基準にイオン交換処理部１０を流通電解処理部１２の流通上手側に配置し、イオン交換処理部１０には多孔状無機鉱物を母体にした多孔状イオン交換体１４を収容し、流動電解処理部１２には誘電率の異なる複数の粒状無機物１７の混合体を摩擦・衝突可能に収容する」ようにしたものである。
【０００５】
つまり、この特許文献１に記載された「鑑賞魚飼育用水処理装置」では、イオン交換処理部１０と流動電解処理部１２とを収納し、これらを飼育水流通路６で直列閉回路状に連結するようにしたものである。そうなると、イオン交換処理部１０と流動電解処理部１２の分水槽全体が大型化するだけでなく、水中となる回路６等がショートし易いものとなっていると考えられる。それだけでなく、この特許文献１の水槽を海水魚用のものに適用した場合、海水中の塩分によって各部が錆び易くなているし、毎日発生した余剰餌や糞等の分解には時間が掛かるものとなっていて、十分な浄化が行えないと考えられる。
【０００６】
そこで、浄化装置そのものを水槽の外に出すことが当然考えられるが、そのことは特許文献２〜特許文献５に記載されている。
【０００７】
特許文献２に記載された「水槽の水浄化装置」は、図８に示すように、「魚類を収容する水槽１１と、水槽１１内の魚類に餌を供給する自動給餌装置２１と、水槽１の底部１１Ｂに設けた取入口５１からポンプ５５を介して水槽１１の上部１１Ａに戻す循環路５３と、循環路５３から分岐し濾過器５９を介し再び水槽１１に戻す分岐路６１と、循環路５３または分岐路６１に配置した制御弁５７とを設け、水槽１１内の排泄物を検出する排泄物センサ７１と餌の通過を検出する餌センサ７３とを設け、排泄物センサ７１が排泄物を検出した時、制御弁５７により取入口５１と濾過器５９とを接続し、一方餌センサ７３が餌を検出した時、制御弁５７により取入口５１と濾過器５９との接続を遮断し、循環路５３を介し水槽１１に戻すようにしてなる」ものであり、「餌の無駄を防止するとともに、魚類の排泄物や餌の堆積による水質の悪化を防止し得る」ものと考えられる。
【０００８】
しかしながら、この特許文献２の水槽において採用されている「濾過器５９」は、当該文献の段落００１３に記載されているように、「内部にフィルタが内蔵され、側方から水を取り入れフィルタを通して下方の排出口から抜く様に構成されている」ものであり、フィルタのよって捕捉された糞等がどのように処理されるのかは、全く不明となっている。糞や余剰餌等の水や海水に溶け込み易い有機物は、これがフィルタによって捕捉されたとしても、それを直ちに除去しないと海水中に溶け込んでしまい、水槽の汚れの原因となってしまうことは言うまでもない。
【０００９】
この捕捉された糞等の問題は、特許文献３に記載されている「養魚用水浄化装置」においても同様に発生するものと考えられる。つまり、この特許文献３の装置では、図９に示すように、「飼育水槽３の外部に設置される浄化装置１において、浄化微生物を付着させた担体５と、この担体５を浄化装置１内に保有させるための支持床１−１と、担体５を浄化装置１内で流動させるためのエアレーション管１−２とを備え、このエアレーション管１−２から発生する微細気泡によって、飼育水中に溶存する可溶性有機物を凝固して該有機物を含む泡を形成し、この有機物を含む泡６−１を除去する泡沫除去槽６と、泡を除去した水滴を飼育水槽３へ戻す配管とを備え」たものであり、糞や余剰餌が「飼育水中に溶存する可溶性有機物」である必要があるからである。
【００１０】
また、特許文献４及び特許文献５に記載された「水浄化装置」も、図１０に示すように、「水浄化装置Ｄは、魚介などを飼育するための水槽１と、水収納槽２と、自動給餌装置３と、濾過槽１０と、水収納槽２における一組の電極４・４と、電極４・４に電流を供給するための直流電源（図示略）と、電極ホルダ５と、汲上管６と、汲上ポンプ７と、戻し管１２とを備えてなる。水収納槽２は、水槽１内の水に含まれるリン酸を除去するためのものであり、汲上管６と濾過槽１０との間に設けられている。電極４・４は、長方形板状の鉄板であり、水中のリン酸を除去するための鉄イオンを電気分解により溶出する。溶出した鉄イオンは、水中のリン酸と反応して、水不溶性リン化合物となって凝集する」ものであり、「電極４・４は、長方形板状の鉄板」であるため、「海水魚水槽」には適用が困難なものとなっていると考えられる。
【００１１】
それだけでなく、この特許文献４及び５の「濾過槽１０」は、特許文献４の段落００２８の記載によると、「濾過槽１０は、水収納槽２に隣接してその下流側に設けられ、水収納槽２で電気分解された水をその上部の移流口２ａを通して導入し、前記リン化合物を除去するとともに、魚介の糞尿や残餌などの水中の有機物を物理濾過及び生物濾過するためのものであり、濾過を行うためのフィルタ１１を内蔵している」ものであって、「フィルタ１１」の洗浄をどのようにするのかは不明なままのため、魚介の糞尿や残餌を直ちに処理できるものではない、と考えられる。
【００１２】
以上の通り、水槽の浄化装置としては種々なものが提案されてはいるが、どれも一長一短があって十分なものではない。特に、水槽の中に入っているのが海水魚であって、使用する水が「海水」である場合には、それなりの工夫が必要である。
【００１３】
特に、出願人は、「ビルの中の海釣り」と銘打って、アジやひらめ等の海水魚をビル内の水槽で飼育し、これを「釣り堀」とした営業を行っているのであるが、海水の中に上述した魚介の糞尿や残餌が貯まることは勿論、釣りの仕掛け等の無機物、紙くずや鱗等の「生物濾過（浄化）」できないものも混在し残るものである。
【００１４】
そこで、本発明者等は、この海水魚釣り堀の浄化を確実に行えるようにするにはどうしたらよいか、について種々検討を重ねてきた結果、本発明を完成したのである。
【００１５】
すなわち、本発明の目的とするところは、海水魚を飼育している海水の浄化を短時間内で確実に行うことができて、汚れの大きな原因である糞や残り餌が海水中に溶け込まない内に除去できる浄化装置を、簡単な構成によって提供することにある。
【課題を解決するための手段】
【００１６】
以上の課題を解決するために、まず、請求項１に係る発明の採った手段は、後述する最良の形態の説明中において使用する符号を付して説明すると、
「海水魚水槽２０中のゴミ３０を含んだ海水を汲み出して、ゴミ３０を除去したきれいな海水だけを再び海水魚水槽２０内へ送り込むようにした浄化装置１００であって、
装置本体枠１１と、この装置本体枠１１内にて略水平状態で回転駆動される無端網体１２と、この無端網体１２の上下両部分の間に配置されて、受け止めた海水を無端網体１２の両側に流し出す傾斜板１３と、この傾斜板１３の下方に配置されて、これから流下してきた海水を一旦溜めておく補助水槽１４とを備えたことを特徴とする海水魚水槽のための浄化装置１０」
である。
【００１７】
すなわち、本発明に係る浄化装置１０は、図１に示すように、海水魚水槽２０中のゴミ３０を含んだ海水を汲み出して、ゴミ３０が海水中に溶け込まない内にこれを除去することにより、きれいな海水だけを再び海水魚水槽２０内へ送り込むようにしたものである。そして、この浄化装置１００には、これを構成している供給管１７によって、海水魚水槽２０側からの海水が供給されるようにしてあるが、この海水中には、海水魚の糞、余剰となった餌、仕掛けの一部、たまたま落ち込んでしまった入場券やパンフレット等の紙類からなるゴミ３０が混ざり込んでいるのである。
【００１８】
このようなゴミ３０を除去するための、本発明に係る浄化装置１００は、図１〜図４に示すように、主として、装置本体枠１１と、この装置本体枠１１内にて略水平状態で回転駆動される無端網体１２と、この無端網体１２の上下両部分の間に配置されて、受け止めた海水を無端網体１２の両側に流し出す傾斜板１３と、この傾斜板１３の下方に配置されて、これから流下してきた海水を一旦溜めておく補助水槽１４とを備えているのである。
【００１９】
つまり、浄化装置１０を構成している各部材は、海水の自然落下を利用するものとなっているとともに、その全てが海水魚水槽２０の外側に配置されているため、「海水中の塩分」による悪影響、例えば電気的ショートを発生させることは殆どない。勿論、駆動プーリ１２ａの駆動自体を、ユニバーサルジョイントを使用する等して、遠くから行うようにすれば、海水中の塩分による悪影響を極力避けることができる。
【００２０】
なお、駆動プーリ１２ａを駆動するもの自体も、海水の自然落下や水道の圧力を利用するものとして構成することもある。
【００２１】
さて、この浄化装置１０においては、その無端網体１２が駆動プーリ１２ａと従動プーリ１２ｂとの間に掛装されていて、この無端網体１２の上側部分１２ｃと下側部分１２ｄとは、図２〜図４に示すように、互いに水平状かつ平行となるように支持されている。つまり、この無端網体１２は、ゴミ３０を含んだ海水を供給する供給管１７の下側に配置されており、また、当該無端網体１２の上側部分１２ｃとなる部分は、駆動プーリ１２ａの図示しないモータ等による回転駆動によって、図２中の白抜き矢印にて示した方向に常に搬送されているのである。
【００２２】
ここで、供給管１７を通してゴミ３０を含む海水が、図２に示したように無端網体１２の上側部分１２ｃ上に供給されたとすると、ゴミ３０は、次々に送られてくる無端網体１２の上側部分１２ｃによって漉し取られる。そして、漉し取られたゴミ３０は、後述する最良形態のものでは、図２の図示右側に配置してある駆動プーリ１２ａに向けて送られるのであるが、この上側部分１２ｃは駆動プーリ１２ａにて急に方向が変えられるため、そこに付着していたゴミ３０は無端網体１２から強制的に振り落とされるのである。この振り落とされたゴミ３０は、最良形態の浄化装置１０にあってはゴミ受板１６によって受け取られるため、このゴミ受板１６上に溜められるか、流し出される。
【００２３】
一方、ゴミ３０が漉し取られた海水は、図２及び図３に示すように、傾斜板１３上に流下し、この傾斜板１３の下端１３ｂから補助水槽１４内に送られる。このとき、傾斜板１３が無端網体１２の上側部分１２ｃと下側部分１２ｄとの間に配置してあるから、ゴミ３０が除去された海水は、直接傾斜板１３上に流下し、この傾斜板１３の影（下側）になっている無端網体１２の下側部分１２ｄを洗浄することはない。つまり、浄化された海水が、無端網体１２上に残っているゴミ３０によって再び汚されることはないのであり、傾斜板１３の下方にある補助水槽１４内には浄化された海水のみが溜められる。
【００２４】
勿論、以上のゴミ３０の漉し取りは供給管１７の直下で行われるのであるが、この供給管１７の直下にくる無端網体１２は、これが駆動プーリ１２ａと従動プーリ１２ｂに掛装されて搬送駆動されているから、その表面にゴミ３０がない状態となっている。このため、ゴミ３０の漉し取りは、常に新しい無端網体１２によって行われるのであり、ゴミ３０の除去、そして海水の浄化は、常に安定した状態で行われるのである。
【００２５】
また、漉し取られたゴミ３０は、その漉し取り作業が行われている場所とは異なる部分へ無端網体１２によって搬送されて、ここで無端網体１２から取り除かれるのであるから、浄化された海水が、無端網体１２上に残っているゴミ３０によって再び汚されることはない。
【００２６】
以上の結果、この請求項１に係る浄化装置１０によれば、供給管１７から送られてきた海水魚水槽２０中の海水の中に含まれていたゴミ３０を、直ちにしかも繰り返して除去されることになり、このゴミ３０が糞等の海水に溶けやすい有機物であっても、海水中に溶け込むことなく除去できるのである。
【００２７】
また、上記課題を解決するために、請求項２に係る発明の採った手段は、上記請求項１に記載の海水魚水槽２０のための浄化装置１０について、
「傾斜板１３の前方または後方であって、無端網体１２の上下両部分１２ｃ・１２ｄの間に、この無端網体１２の幅方向に位置する流体噴射ノズル１５を配置して、この流体噴射ノズル１５から吹き出される流体により、無端網体１２の下側部分に付着したゴミ３０を除去するようにしたこと」
である。
【００２８】
すなわち、この請求項２の浄化装置１０では、図２及び図４に示すように、無端網体１２の上下両部分１２ｃ・１２ｄの間に流体噴射ノズル１５を配置したものであり、この流体噴射ノズル１５から下側部分１２ｄに向けて水（本最良形態では海水が用いられる）またはエアを噴射して、下側部分１２ｄの下側に付着したままになっているゴミ３０を、洗い流すか吹き飛ばして除去するようにしたものである。
【００２９】
勿論、この流体噴射ノズル１５は、図２に示すように、装置本体枠１１の後流側（図示右側）に配置しても、また、空間さえあれば、装置本体枠１１の上流側（図２の図示左側）に配置してもよいものである。また、この流体噴射ノズル１５は、図４に示すように、無端網体１２の幅方向に位置するものとすると、細い流体噴射ノズル１５で無端網体１２の全幅をカバーできるため、効率よくゴミ３０の除去が行える。
【００３０】
さらに、請求項３に係る発明の採った手段は、上記請求項１に記載の海水魚水槽２０のための浄化装置１０について、
「傾斜板１３の前方または後方であって、無端網体１２の上下両部分１２ｃ・１２ｄの間に、この無端網体１２の下側部分１２ｄを上下に振動させる振動装置１８を配置して、この振動装置１８によって下側部分１２ｄに与えられる振動により、下側部分１２ｄに付着したゴミ３０を振り落とすようにしたこと」
である。
【００３１】
すなわち、この浄化装置１０では、無端網体１２の上下両部分１２ｃ・１２ｄの間に振動装置１８を配置したものであり、この振動装置１８によって無端網体１２の下側部分１２ｄを上下に振動させるようにしたものである。つまり、この請求項３の浄化装置１０では、請求項２の流体噴射ノズル１５に代えて振動装置１８を採用するようにしたものである。
【００３２】
後述する最良形態の振動装置１８は、図５及び図６に示すように、無端網体１２の下側部分１２ｄに上側から当接する従動ローラ１８ａと、この従動ローラ１８ａを回転自在に支持すべく、この従動ローラ１８ａ内に収納した偏芯軸１８ｂとからなるものであり、この偏芯軸１８ｂを外部の回転駆動装置によって回転させるようにしたものである。従って、この振動装置１８によれば、偏芯軸１８ｂが回転されることにより従動ローラ１８ａの全体が、図６にも示すように、上下動し、これにより、無端網体１２の下側部分１２ｄを上下方向に振動させるのである。
【００３３】
このとき、上下動している従動ローラ１８ａは、偏芯軸１８ｂに対して回転自在であって、しかも下側部分１２ｄの上面に当接しているのであるから、下側部分１２ｄの動きに従って回転し、無端網体１２に損傷を与えることはない。このため、当該浄化装置１０を昼夜作動させたとしても、各部の損傷が発生するのは極めて希であり、耐久性の優れた浄化装置１０となっているのである。
【００３４】
そして、請求項４に係る発明の採った手段は、上記請求項２または請求項３に記載の海水魚水槽２０のための浄化装置１０について、
「装置本体枠１１の、流体噴射ノズル１５または振動装置１８より下方に、無端網体１２の下側部分１２ｄから落とされたゴミ３０を受け止めるゴミ受板１６を設けるとともに、このゴミ受板１６の排出口１６ａを補助水槽１４以外に開口させたこと」
である。
【００３５】
すなわち、この請求項４の浄化装置１０では、図２に示すように、流体噴射ノズル１５または振動装置１８より下方に、無端網体１２の下側部分１２ｄから落とされたゴミ３０を受け止めるゴミ受板１６を設けたものであり、このゴミ受板１６の存在によって漉し取られ除去されたゴミ３０を、浄化された海水中に混入しないようにすることができるのである。
【００３６】
特に、このゴミ受板１６は、流体噴射ノズル１５による流体の噴射や、振動装置１８による無端網体１２の下側部分１２ｄの振動によって飛び散るゴミ３０や流体を確実に囲い込むため、ゴミ３０が補助水槽１４内に混入するのを確実に防止するものである。勿論、このゴミ受板１６の排出口１６ａからはゴミ３０が簡単に取り出せるのであり、特に流体噴射ノズル１５を採用して海水を使用した場合には、ゴミ３０をこの排出口１６ａから簡単に排出できるのである。
【発明の効果】
【００３７】
以上、詳述した通り、請求項１に係る発明においては、
「海水魚水槽２０中のゴミ３０を含んだ海水を汲み出して、ゴミ３０を除去したきれいな海水だけを再び海水魚水槽２０内へ送り込むようにした浄化装置１００であって、
装置本体枠１１と、この装置本体枠１１内にて略水平状態で回転駆動される無端網体１２と、この無端網体１２の上下両部分の間に配置されて、受け止めた海水を無端網体１２の両側に流し出す傾斜板１３と、この傾斜板１３の下方に配置されて、これから流下してきた海水を一旦溜めておく補助水槽１４とを備えたこと」
にその特徴があり、これにより、海水中のゴミ３０の除去を、これが海水中の溶け込む前の短時間内に確実に行うことができる浄化装置１０を、簡単な構成によって提供することができるのである。
【００３８】
また、請求項２の発明に係る浄化装置１０は、上記請求項１のそれについて、
「傾斜板１３の前方または後方であって、無端網体１２の上下両部分１２ｃ・１２ｄの間に、この無端網体１２の幅方向に位置する流体噴射ノズル１５を配置して、この流体噴射ノズル１５から吹き出される流体により、無端網体１２の下側部分に付着したゴミ３０を除去するようにしたこと」
にその構成上の特徴があり、これにより、上記請求項１の浄化装置１０と同様な効果を発揮する他、無端網体１２によって漉し取ったゴミ３０の除去を、流体噴射ノズル１５から噴射される水またはエアによって簡単且つ確実に行うことができるのである。
【００３９】
さらに、請求項３の発明に係る浄化装置１０は、上記請求項１のそれについて、
「傾斜板１３の前方または後方であって、無端網体１２の上下両部分１２ｃ・１２ｄの間に、この無端網体１２の下側部分１２ｄを上下に振動させる振動装置１８を配置して、この振動装置１８によって下側部分１２ｄに与えられる振動により、下側部分１２ｄに付着したゴミ３０を振り落とすようにしたこと」
にその構成上の特徴があり、これにより、上記請求項１の浄化装置１０と同様な効果を発揮する他、無端網体１２によって漉し取ったゴミ３０の除去を、無端網体１２の下側部分１２ｄを振動させるという簡単な手段で、簡単かつ確実に行うことができるのである。
【００４０】
そして、請求項４の発明に係る浄化装置１０は、上記請求項２または請求項３に記載の海水魚水槽２０のための浄化装置１０について、
「装置本体枠１１の、流体噴射ノズル１５より下方に、無端網体１２の下側部分１２ｄから落とされたゴミ３０を受け止めるゴミ受板１６を設けるとともに、このゴミ受板１６の排出口１６ａを補助水槽１４以外に開口させたこと」
にその構成上の特徴があり、これにより、上記請求項２または３のそれと同様な効果を発揮する他、海水魚水槽２０内に戻される浄化された海水中にゴミ３０の再混入を確実に防止することができて、効率のよいものとすることができるのである。
【発明を実施するための最良の形態】
【００４１】
次に、以上のように構成した各請求項に係る発明を、図面に示した最良の形態に係る浄化装置１０に基づいて説明するが、この浄化装置１０としては、図１〜図４に示した実施例１と、図５及び図６に示した実施例２とに係るものがあるので、それぞれについて順に説明することとする。
【実施例１】
【００４２】
図１には、本発明に係る浄化装置１０を採用した釣り堀の概略構成が示してあり、この釣り堀では、海水魚水槽２０内に鯛や平目を入れて、これを釣り上げるようにしたものである。そして、この海水魚水槽２０の下側には浄化装置１０が設置してあり、この浄化装置１０によって、海水魚水槽２０から供給管１７を介して送られてくるゴミ３０を含む海水の浄化を行うものである。
【００４３】
浄化装置１０は、主として、装置本体枠１１と、この装置本体枠１１内にて略水平状態で回転駆動される無端網体１２と、この無端網体１２の上下両部分の間に配置されて、受け止めた海水を無端網体１２の両側に流し出す傾斜板１３と、この傾斜板１３の下方に配置されて、これから流下してきた海水を一旦溜めておく補助水槽１４とを備えたものである。
【００４４】
装置本体枠１１は、無端網体１２、駆動プーリ１２ａ及び従動プーリ１２ｂ、そして傾斜板１３を支持するものであり、流体噴射ノズル１５や、これに代わる振動装置１８をも支持するものである。また、この装置本体枠１１の一部は、図２に示したように、傾斜されたゴミ受板１６となるものであり、このゴミ受板１６の下端は排出口１６ａとなるものである。
【００４５】
無端網体１２は、合成樹脂あるいはステンレススチール等によって形成して、海水中の塩分に対して強靱であるとともに、駆動プーリ１２ａ及び従動プーリ１２ｂ間にて張設してある。駆動プーリ１２ａは、図示しない外部のモータ等によって回転駆動されるものであり、従動プーリ１２ｂとの協同作用によって、弛まないようにしながら、無端網体１２を、例えば図２中の白抜き矢印に示した方向に回転駆動するものである。
【００４６】
無端網体１２が駆動プーリ１２ａによって回転駆動されると、無端網体１２においては、互いに平行で反対方向に移動することになる上側部分１２ｃと下側部分１２ｄとができ上がる。そして、上側部分１２ｃの一部に対しては、図２及び図３に示したように、海水魚水槽２０からの海水を送り込んでくる供給管１７の一端が開口されているのである。
【００４７】
また、供給管１７の開口の直下であって、上側部分１２ｃと下側部分１２ｄとの間には、図２及び図３に示したように、傾斜板１３が配置される。本最良形態の傾斜板１３は、図３に示したように、中央が頂点１３ａとなって左右の下端１３ｂが、無端網体１２の下側部分１２ｄを覆うような形状のものであるが、単なる一枚の板であって、頂点１３ａが下側部分１２ｄの一方の端に、また下端１３ｂが下側部分１２ｄの他方の端に位置するようにして実施してもよいものである。
【００４８】
そして、傾斜板１３の下端１３ｂの下方には、図１に示したように、当該傾斜板１３上を流下してきた浄化された海水が流し込まれる補助水槽１４が配置してある。なお、この補助水槽１４には図示しないポンプが付設してあり、このポンプによって浄化された海水を海水魚水槽２０内に戻すようにしている。
【００４９】
さて、供給管１７から無端網体１２上にゴミ３０を含んだ海水を流し込めば、無端網体１２の上側部分１２ｃによってゴミ３０が漉し取られる。このゴミ３０は、上側部分１２ｃの搬送とともに送られるが、この上側部分１２ｃの駆動プーリ１２ａによる方向転換による遠心力、あるいは、当該実施例１で採用している流体噴射ノズル１５によって、上側部分１２ｃから除去される。流体噴射ノズル１５は、図４に示したように、無端網体１２の全幅に亘って配置され、かつ、図２に示したように、無端網体１２の上側部分１２ｃと下側部分１２ｄとの間に設置されるものであり、図示しないポンプによって、水や海水あるいはエアを下側部分１２ｄの内側（上側）から吹き出して、下側部分１２ｄに付着しているゴミ３０を短時間内で除去するものである。
【実施例２】
【００５０】
本発明の実施例２に係る浄化装置１０は、実施例１における流体噴射ノズル１５に代えて振動装置１８を採用したことにのみ、実施例１との差異があるものであり、以下の説明では、この振動装置１８を中心に説明して他の部分の説明は省略する。
【００５１】
振動装置１８は、図５及び図６に示したように、無端網体１２の上下両部分１２ｃ・１２ｄの間に配置したものであり、この振動装置１８によって無端網体１２の下側部分１２ｄを上下に振動させるようにしたものである。そして、この振動装置１８は、無端網体１２の下側部分１２ｄに上側から当接する従動ローラ１８ａと、この従動ローラ１８ａを回転自在に支持すべく、この従動ローラ１８ａ内に収納した偏芯軸１８ｂとにより構成したものであり、この偏芯軸１８ｂを外部の回転駆動装置によって回転させるようにしたものである。
【００５２】
この振動装置１８は、偏芯軸１８ｂが回転されることにより、従動ローラ１８ａの全体を、図６中の矢印にて示したように上下動させるのであり、無端網体１２の下側部分１２ｄを上下方向に振動させるのである。このとき、上下動している従動ローラ１８ａは、偏芯軸１８ｂに対して回転自在であって、しかも下側部分１２ｄの上面に当接しているのであるから、下側部分１２ｄの動きに従って回転し、無端網体１２に損傷を与えることはない。このため、当該浄化装置１０を昼夜作動させたとしても、各部の損傷が発生するのは極めて希であり、当該浄化装置１０は、耐久性の優れたものとなっているのである。
【図面の簡単な説明】
【００５３】
【図１】本発明に係る浄化装置を採用した釣り堀の概略斜視図である。
【図２】同浄化装置の拡大縦断面図である。
【図３】図２中の１−１線に沿って見た断面図である。
【図４】図２中の２−２線に沿って見た断面図である。
【図５】振動装置を採用したときの無端網体に対する位置関係を示すもので、当該振動装置と無端網体との縦断面図である。
【図６】振動装置の側面図である。
【図７】従来技術を示す浄化装置の縦断面図である。
【図８】別の従来技術を示す浄化装置の縦断面図である。
【図９】さらに別の従来技術を示す浄化装置の縦断面図である。
【図１０】他の従来技術を示す浄化装置の縦断面図である。
【符号の説明】
【００５４】
１０    浄化装置
１１    装置本体枠
１２    無端網体
１２ａ  駆動プーリ
１２ｂ  従動プーリ
１２ｃ  上側部分
１２ｄ  下側部分
１３    傾斜板
１３ａ  頂点
１３ｂ  下端
１４    補助水槽
１５    流体噴射ノズル
１６    ゴミ受板
１６ａ  排出口
１７    供給管
１８    振動装置
１８ａ  従動ローラ
１８ｂ  偏芯軸
２０    海水魚水槽
３０    ゴミ
【図１】
2005295859.tif 000003
【図２】
2005295859.tif 000004
【図３】
2005295859.tif 000005
【図４】
2005295859.tif 000006
【図５】
2005295859.tif 000007
【図６】
2005295859.tif 000008
【図７】
2005295859.tif 000009
【図８】
2005295859.tif 000010
【図９】
2005295859.tif 000011
【図１０】
2005295859.tif 000012